(57)【要約】【課題】  カードの反りを矯正するときにカードの表面に痕跡や傷が付かないようにする。【解決手段】  カード処理通路６内にカードＣを挿入すると、移動子２０の係合部２４がカード処理通路６内に進出し、搬送されるカードＣの先端が係合部２４に係合する。カードＣのＡ方向への搬送に随伴して移動子２０が矢印Ａ方向に移動するとともに下降し、接触子２５がカードＣの電極に接触し、カードのデータが処理される。反りのあるカードが挿入されると、移動子２０に設けられた反り矯正用のローラ２６によって反りが矯正された状態でデータが処理される。反り矯正用のローラ２６は、軸２６ａに回転自在で、軸２６ａを介して移動子２０に上下動自在に支持され、板ばね２７によってカード処理通路６側に付勢されている。【選択図】  図５
2005135159.tif 000002
【特許請求の範囲】
【請求項１】
カード処理通路内を搬送される接触型ＩＣカードの先端が当接することにより、接触型ＩＣカードの搬送に随伴して移動し退避位置からカード処理通路内に進出して接触型ＩＣカードの電極と接触する接触子を有する移動子を備えた接触型ＩＣカード処理装置において、前記移動子に、前記接触子よりも突出量が小さい状態でカード処理通路側に付勢されているとともに回転自在に支持された反り矯正用のローラを設けたことを特徴とする接触型ＩＣカード処理装置。
【請求項２】
請求項１記載の接触型ＩＣカード処理装置において、前記カード処理通路の前記反り矯正用のローラと対向する搬送面にリブを設けたことを特徴とする接触型ＩＣカード処理装置。
【発明の詳細な説明】
【技術分野】
【０００１】
本発明は、挿入された接触型ＩＣカード（以下、単にカードという）に随伴して退避位置からカード処理通路内に進出する移動子の接触子がカードの電極に接触し、カードに記録されたデータを処理する接触型ＩＣカード処理装置（以下、単にカード処理装置という）に関するものである。
【背景技術】
【０００２】
従来のカード処理装置においては、挿入されたカードの先端が当接し搬送されるカードに随伴して退避位置からカード処理通路内に進出する移動子を備え、この移動子の底部に凸条体または突起が設けられ、この凸条体または突起によって、移動子がカード処理通路内に進出するときに、カードの反りを矯正し、移動子の接触子をカードの電極に適正な接触圧で接触させるようにしたものがある（例えば、特許文献１，２参照）。なお、本出願人は、本明細書に記載した先行技術文献情報で特定される先行技術文献以外には、本発明に密接に関連する先行技術文献を出願時までに見付け出すことはできなかった。
【特許文献１】特開平９−１２８５０４号公報（段落「００１６」、「００２８」および図７，８）
【特許文献２】特開平５−３０７６５０号公報（段落「００１１」、「００１７」および図２，５）
【発明の開示】
【発明が解決しようとする課題】
【０００３】
上述した従来の接触型ＩＣカード処理装置においては、移動子の凸条体または突起によってカードの反りを矯正するときに、カードの表面に凸条体または突起が接触した状態でカードが移動するため、これら凸条体または突起によってカードの表面が擦れ、カードの表面に摩擦による痕跡が発生するという問題があった。特に、カードを多数回使用していると、この痕跡が傷や汚れとなって現れるため見苦しくなり商品価値が低下するという問題もある。
【０００４】
本発明は上記した従来の問題に鑑みなされたものであり、その目的とするところは、カードの反りを矯正するときにカードの表面に痕跡や傷が付かないようにすることにある。
【課題を解決するための手段】
【０００５】
この目的を達成するために、請求項１に係る発明は、カード処理通路内を搬送される接触型ＩＣカードの先端が当接することにより、接触型ＩＣカードの搬送に随伴して移動し退避位置からカード処理通路内に進出して接触型ＩＣカードの電極と接触する接触子を有する移動子を備えた接触型ＩＣカード処理装置において、前記移動子に、前記接触子よりも突出量が小さい状態でカード処理通路側に付勢されているとともに回転自在に支持された反り矯正用のローラを設けたものである。
また、請求項２に係る発明は、請求項１に係る発明において、前記カード処理通路の前記反り矯正用のローラと対向する搬送面にリブを設けたものである。
【発明の効果】
【０００６】
請求項１に係る発明によれば、カードの反りを矯正するときに、反り矯正用のローラから無理な力がカードに加わることがないとともに、反り矯正用のローラが回転するため、カードの表面を擦ることがないからカードの表面に痕跡や傷が付くようなことがない。
請求項２に係る発明によれば、反り矯正用のローラとリブとによってカードを挟持することによりカードの反りを矯正することができるため、カードの反りをより充分に矯正することができる。
【発明を実施するための最良の形態】
【０００７】
以下、本発明の実施の形態を図に基づいて説明する。図１は本発明に係るカード処理装置の平面図、図２は図１におけるII-II 線断面図、図３は同じく反り矯正用のローラとリブとの位置関係を示す平面図、図４は図１におけるIV-IV 線断面図で、同図（ａ）は移動子が退避した状態を示し、同図（ｂ）は移動子が進出した状態を示し、同図（ｃ）は移動子の接触子がカードの電極に接触した状態を示し、図５は図１におけるV-V 線断面図で、同図（ａ）は移動子が退避した状態を示し、同図（ｂ）は移動子が進出した状態を示し、同図（ｃ）は移動子の係合部にカードの先端が係合した状態を示し、同図（ｄ）は移動子の接触子がカードの電極に接触した状態を示す。
【０００８】
図１および図２において、全体を符号１で示すカード処理装置は、下方が開口したロアーケース２と、上方が開口したアッパーケース３とによって構成されており、ロアーケース２の上板４のカード搬送面４ａと、これと対向するアッパーケース３の底板５のカード搬送面５ａとによって矢印Ａ−Ｂ方向に延在するカード処理通路６が形成されている。
【０００９】
ロアーケース２の前端部には、カード挿入口部材７が取り付けられており、このカード挿入口部材７にはカード処理通路６に連通するカード挿入口兼排出口７ａが設けられている。８はカード搬送用のモータであって、このモータ８の駆動は減速歯車列９およびベルト１０を介して駆動ローラ１１，１２に伝達されており、これら駆動ローラ１１，１２の上端はカード処理通路６の前、後端側のそれぞれにおいてロアーケース２の上板４の窓からカード処理通路６に臨んでいる。１３はカード処理通路６の前端側に揺動自在に支持されたシャッタ、１４，１５はアッパーケース３の底板５の窓からカード処理通路６に臨み上記駆動ローラ１１，１２に対接するピンチローラである。
【００１０】
１７，１７はカード処理通路６の幅方向において互いに対向するようにアッパーケース３の底板５に立設された後部ガイド壁であって、図４（ｃ）に示すように、それぞれに互いに連通する上部水平溝１７ａ、傾斜溝１７ｂ、下部水平溝１７ｃが形成されている。１８，１８はカード処理通路６の幅方向において対向するようにアッパーケース３の底板５に立設された前部ガイド壁（一方の前部ガイド壁１８は図示せず）であって、それぞれに互いに連通する開口１８ａ、傾斜溝１８ｂ、水平溝１８ｃが形成されている。
【００１１】
２０は略直方体状に形成された移動子であって、後側の両側部には一対の小軸２１，２１が一体に突設され、前側の両側部には一対の小軸２２，２２が一体に突設されている。また、この移動子２０の後端側の上部にはばね掛け止め片２３が立設されており、底部の前端部には、係合部２４が下方に向かって突設されている。２５は複数の接触子であって、移動子２０に上下動自在に支持されており、図示を省略した付勢手段によって下方に付勢され、移動子２０の底部から突設している。図２において、２６は軸２６ａに回転自在に支持された反り矯正用のローラであって、接触子２５よりも前方側、すなわち矢印Ａ方向側において移動子２６に軸２６ａを介して上下動自在に軸支されている。この反り矯正用のローラ２６は、軸２６ａに係合する板ばね２７，２７（図２参照）によって下方に付勢され、移動子２０の底部から突設しており、その突設量Ｈ１は、図５（ｂ）に示すように、接触子２５の突設量Ｈ２よりも小さく設定されている。
【００１２】
３０は揺動部材であって、図４に示すように、前端側がアッパーケース３の底板５に設けた軸支承部間に横架された軸３１を中心として揺動自在に支持されており、後方側に向かって延在する一対の腕部３２，３２が、カード処理通路６の幅方向において、互いに対向するように一体に設けられている。これら腕部３２，３２には、上記移動子２０の小軸２２を保持する保持溝３３，３３が設けられており、腕部３２，３２に設けられた長孔３４，３４間には軸３５が枢支され、この軸３５の一端部は、図１に示すように、一方の腕部３５から突出している。この腕部３２の保持溝３３に一方の小軸２２が保持された移動子２０の他方の小軸２１は、図４（ａ）に示すようにガイド壁１７の上部水平溝１７ａに係入されており、ばね掛け止め片２３とアッパーケース３の底板５に立設したばね掛け止め片３６間に懸架された引張りコイルばね３７によって移動子２０は矢印Ｂ方向へ付勢されている。
【００１３】
図１において、３８はアッパーケース３の底板５に固定されたソレノイドであって、進退自在なロッド３９の先端部には、上記軸３５の突出端部が枢着されており、ロッド３９はソレノイド３８が励磁されてない状態で、圧縮コイルばね４０の弾発力によって前進する。すなわち、ロッド３９が前進した状態においては、図４（ａ）に示すように、揺動部材３０は軸３１を中心として反時計方向に回動し、一方の小軸２２を介して移動子２０が他方の小軸２１を中心として時計方向に回動し、係合部２４がカード処理通路６から退避する。
【００１４】
一方、ソレノイド３８が励磁され、ロッド３９が圧縮コイルばね４０の弾発力の抗して後退すると、同図（ｂ）に示すように、軸３５が矢印Ｂ方向へ移動することにより、揺動部材３０は軸３１を中心として時計方向に回動し、保持溝３３に保持された小軸２２がガイド壁１８の開口１８ａに対向するように位置付けられる。このように揺動部材３０が軸３１を中心として時計方向に回動すると、移動子２０は一方の小軸２２を介して、他方の小軸２１を中心として、反時計方向に回動し、係合部２４がアッパーケース３の底板５の窓５ｂからカード処理通路６に臨む。図２に示すように、ロアーケース２の上板４には、移動子２０の係合部２４が進出する窓４ｂが設けられている。
【００１５】
図２において、４２は反り矯正用のローラ２６に対向するようにロアーケース２のカード搬送面４ａに突設されたリブであって、図３に示すように、反り矯正用のローラ２６を挟むように２つ設けられ、矢印Ａ−Ｂ方向に延在している。
【００１６】
次に、このような構成のカード処理装置におけるカード処理動作について説明する。
【００１７】
非使用状態においては、ソレノイド３８が励磁されておらず、ロッド３９は、図１に示すように圧縮コイルばね４０の弾発力によって前進しており、移動子２０は、図４（ａ）に示すように、小軸２１を中心として時計方向へ付勢され、係合部２４がカード処理通路６から退避している。この状態で、図２において、カードをカード挿入口７ａからカード処理通路６に挿入し、カードの前端がシャッタ１３を通過すると、センサ（図示せず）がこれを検知しモータ８が正方向に駆動する。したがって、カードの前端が駆動ローラ１１とピンチローラ１４との対接部まで挿入されると、これら両ローラ１１，１４によって矢印Ａ方向へ搬送される。
【００１８】
カードが矢印Ａ方向へ搬送されると、ソレノイド３８が励磁され、ロッド３９が圧縮コイルばね４０の弾発力に抗して後退することにより、移動子３０が、図４（ｂ）および図５（ｂ）に示すように、小軸２１を中心として反時計方向に回動し、係合部２４がカード処理通路６内に進出する。したがって、矢印Ａ方向へ搬送されるカードＣの前端が、図４（ｃ）に示すように、係合部２４に係合するので、移動子２０がカードＣの搬送に追従して引張りコイルばね３７の引張力に抗して矢印Ａ方向に移動する。この移動に随伴し、移動子２０の小軸２１，２２がガイド壁１７，１８の傾斜溝１７ｂ，１８ｂに移行するため移動子２０は降下する。
【００１９】
さらに、カードＣが矢印Ａ方向へ搬送されると、移動子２０の小軸２１，２２がガイド壁１７の下部水平溝１７ｃおよびガイド壁１８の水平溝１８ｃに移行するため、移動子２０がさらに降下し、図４（ｃ）に示すように、接触子２５がカードＣの電極（図示せず）に接触し、モータ８の駆動の停止によりカードＣの搬送が停止する。このとき、反り矯正用のローラ２６の移動子２０の底部からの突出量Ｈ１が、接触子２５の移動子２０の底部からの突出量Ｈ２よりも小さく設定されているから、接触子２５がカードＣの電極に接触する前に反り矯正用のローラ２６に接触することがない。したがって、接触子２５がカードＣの電極に適正な接触圧で接触する。移動子２０の接触子２５とカードＣの電極との間でカードに記録されたデータが処理されると、モータ８が逆方向に駆動し、駆動ローラ１１とピンチローラ１４とによって、カードＣが矢印Ｂ方向へ搬送され、カード挿入口７ａから排出される。
【００２０】
ここで、反ったカードＣがカード挿入口兼排出口７ａから挿入された場合には、図４（ｃ）に示すように、移動子２０に設けられた反り矯正用のローラ２６によってカードＣが下方に押圧されるため、カードＣの反りが矯正されるから、接触子２５とカードＣの電極との接触不良が抑制され、カードＣに記録されたデータの処理不良が防止される。この場合、反り矯正用のローラ２６が板ばね２７によって付勢されているため、カードＣに無理な力が加わることがないとともに、反り矯正用のローラ２６が軸２６ａに回転自在に支持されているために、カードＣの表面との間に擦れが発生するようなことがないので、カードＣの表面に痕跡や傷が付くようなことがない。
【００２１】
また、反り矯正用のローラ２６と対向するように、ロアーケース２のカード搬送面４ａにリブ４２が設けられているため、このリブ４２と反り矯正用のローラ２６とによって、カードＣが挟持されるから、カードＣの反りはローラ２６だけの場合と比較してより矯正される。この場合、２つのリブ４２，４２が平面視において、ローラ２６を挟むように設けられているため、これらリブ４２とローラ２６とによってカードＣの幅方向の反りを矯正することもできる。
【図面の簡単な説明】
【００２２】
【図１】本発明に係るカード処理装置の平面図である。
【図２】図１におけるII-II 線断面図である。
【図３】本発明に係るカード処理装置において、反り矯正用のローラとリブとの位置関係を示す平面図である。
【図４】図１におけるIV-IV 線断面図で、同図（ａ）は移動子が退避した状態を示し、同図（ｂ）は移動子が進出した状態を示し、同図（ｃ）は移動子の接触子がカードの電極に接触した状態を示す。
【図５】図１におけるV-V 線断面図で、同図（ａ）は移動子が退避した状態を示し、同図（ｂ）は移動子が進出した状態を示し、同図（ｃ）は移動子の係合部にカードの先端が係合した状態を示し、同図（ｄ）は移動子の接触子がカードの電極に接触した状態を示す。
【符号の説明】
【００２３】
１…接触型ＩＣカード処理装置、２…ロアーケース、３…アッパーケース、４ａ，５ａ…カード搬送面、６…カード処理通路、７ａ…カード挿入口兼排出口、２０…移動子、２４…係合部、２５…接触子、２６…反り矯正用のローラ、２６ａ…軸、２７…板ばね、３０…揺動部材、４２…リブ、Ｃ…接触型ＩＣカード。
【図１】
2005135159.tif 000003
【図２】
2005135159.tif 000004
【図３】
2005135159.tif 000005
【図４】
2005135159.tif 000006
【図５】
2005135159.tif 000007